【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
通信の方法であって、
データリンクグループの第１のデバイスにおいて、前記データリンクグループと関連付けられる近隣認識ネットワーク（ＮＡＮ）の通信の接続設定段階の間または前記ＮＡＮと関連付けられるＮＡＮ発見ウィンドウの間に前記データリンクグループの第２のデバイスから可用性情報を受信することと、ここにおいて、前記接続設定段階がデバイス能力情報の交換を含む、
前記第２のデバイスが前記データリンクグループと関連付けられる送信ウィンドウの間のデータ受信のために利用可能であることを示す前記可用性情報に基づいて、前記送信ウィンドウの間のデータ受信に対する前記第２のデバイスの可用性を決定するためのメッセージ交換を実行することなく前記送信ウィンドウの間に前記第１のデバイスから前記第２のデバイスにデータを送信することと、ここにおいて、前記データは、前記データリンクグループのデバイスに前記第１のデバイスによって提供されるサービスと関連付けられる、
を備える、方法。
【請求項２】
前記第１のデバイスにおいて、前記ＮＡＮに参加するために前記接続設定段階の間に前記第２のデバイスとの関連付けを実行することをさらに備え、前記送信ウィンドウが、前記接続設定段階に続いて発生する、請求項１に記載の方法。
【請求項３】
前記第２のデバイスが第２の送信ウィンドウの間のデータ受信に利用可能であることを示す前記可用性情報に基づいて、前記第２の送信ウィンドウの間のデータ受信に対する前記第２のデバイスの可用性を決定するための第２のメッセージ交換を実行することと、
前記第２のデバイスが前記第２の送信ウィンドウの間に利用可能であることに基づいて、前記第２の送信ウィンドウの間に前記第１のデバイスから前記第２のデバイスに第２のデータを送信することと、
をさらに備える、請求項１に記載の方法。
【請求項４】
前記第２のメッセージ交換がメッセージを前記第１のデバイスから前記第２のデバイスに送信することを含み、前記メッセージが、節電ポール（ＰＳ−ＰＯＬＬ）メッセージ、サービス品質（ＱｏＳ）ヌルメッセージ、アドホックトラフィック指示メッセージ（ＡＴＩＭ）フレーム、アクションフレーム、またはユニキャストメッセージを備える、請求項３に記載の方法。
【請求項５】
前記第２のメッセージ交換が、前記第１のデバイスにおいて、前記第２のデバイスからトリガフレームを受信することを含み、前記トリガフレームが、節電ポール（ＰＳ−ＰＯＬＬ）メッセージ、サービス品質（ＱｏＳ）ヌルフレーム、アドホックトラフィック指示メッセージ（ＡＴＩＭ）フレーム、またはアクションフレームを備える、請求項３に記載の方法。
【請求項６】
前記送信ウィンドウのページングウィンドウの間に前記第１のデバイスから前記第２のデバイスにページングメッセージを送信することをさらに備え、前記ページングメッセージが、前記第１のデバイスから前記データを受信することを予定されているものとして前記第２のデバイスを特定するトラフィックインジケータを含む、請求項１に記載の方法。
【請求項７】
前記トラフィックインジケータが、トラフィック指示マップ（ＴＩＭ）、ブルームフィルタ、媒体アクセス制御（ＭＡＣ）アドレスのリスト、部分ＭＡＣアドレスのリスト、ＭＡＣアドレスのハッシュのリスト、およびアドホックトラフィック指示メッセージ（ＡＴＩＭ）フレームのうちの少なくとも１つを含む、請求項６に記載の方法。
【請求項８】
前記可用性情報が単一のビットを含み、前記単一のビットの値が、前記第２のデバイスが前記データリンクグループに対応する各送信ウィンドウの間に利用可能であるかどうかを示す、請求項１に記載の方法。
【請求項９】
前記可用性情報が、複数のビットを有する特定のフィールドを含み、前記特定のフィールドの値が、前記第２のデバイスが前記データリンクグループに対応する複数のデータウィンドウの各々の間に利用可能であるかどうかを示す、請求項１に記載の方法。
【請求項１０】
前記ＮＡＮに対応する第１のワイヤレスネットワークと関連付けられる同期動作に基づいて、前記第１のデバイスにおいてクロックを同期することをさらに備え、前記データが、前記データリンクグループに対応するデータ送信を含む通信のために指定される第２のワイヤレスネットワークを介して前記第２のデバイスに送信される、請求項１に記載の方法。
【請求項１１】
前記クロックを同期することは、前記第２のデバイスに前記データを送信する前に実行され、前記送信ウィンドウのタイミングは、前記同期されたクロックに基づいて決定される、請求項１０に記載の方法。
【請求項１２】
前記データは、ページングウィンドウに続く前記送信ウィンドウの一部分の間に前記第２のデバイスに送信され、前記ページングウィンドウは、前記データリンクグループのデバイス間のページングメッセージの通信のために指定される前記送信ウィンドウの特定の部分を備え、前記データは、前記ページングウィンドウの間に前記メッセージ交換を実行することなく前記第２のデバイスに送信される、請求項１に記載の方法。
【請求項１３】
プロセッサと、
前記プロセッサに結合されたメモリとを備え、前記メモリが、
データリンクグループと関連付けられる近隣認識ネットワーク（ＮＡＮ）の通信の接続設定段階の間または前記ＮＡＮと関連付けられるＮＡＮ発見ウィンドウの間に前記データリンクグループのデバイスから可用性情報を受信することと、ここにおいて、前記接続設定段階がデバイス能力情報の交換を含む、
前記デバイスが前記データリンクグループと関連付けられる送信ウィンドウの間のデータ受信のために利用可能であることを示す前記可用性情報に基づいて、前記送信ウィンドウの間のデータ受信に対する前記デバイスの可用性を決定するためのメッセージ交換を実行することなく前記送信ウィンドウの間に前記デバイスにデータを送信することと、ここにおいて、前記データは、前記データリンクグループのデバイスに提供されるサービスと関連付けられる、
を備える動作を実行するように前記プロセッサによって実行可能な命令を記憶する、装置。
【請求項１４】
前記動作がさらに、前記送信ウィンドウのページングウィンドウの間にトラフィックインジケータを含むページングメッセージを送信することを備え、前記トラフィックインジケータが、前記データを受信することを予定されているものとして前記デバイスを特定し、前記ページングメッセージが、前記ＮＡＮと関連付けられる第２のワイヤレスネットワークとは異なる第１のワイヤレスネットワークを介して送信される、請求項１３に記載の装置。
【請求項１５】
前記トラフィックインジケータが、トラフィック指示マップ（ＴＩＭ）、ブルームフィルタ、媒体アクセス制御（ＭＡＣ）アドレスのリスト、およびアドホックトラフィック指示メッセージ（ＡＴＩＭ）フレームのうちの少なくとも１つを含む、請求項１４に記載の装置。
【請求項１６】
前記可用性情報が前記デバイスが前記データリンクグループと関連付けられるワイヤレスネットワークをモニタするのに利用可能である１つまたは複数の時間期間を示す特定のフィールドを含む、請求項１３に記載の装置。
【請求項１７】
前記可用性情報が、複数のビットを有する特定のフィールドを含み、前記特定のフィールドの値が、前記デバイスが前記データを受信する前にポーリングメッセージを受信することを要求するかどうかをさらに示す、請求項１３に記載の装置。
【請求項１８】
通信の方法であって、
データリンクグループと関連付けられる近隣認識ネットワーク（ＮＡＮ）の通信の接続設定段階の間または前記ＮＡＮと関連付けられるＮＡＮ発見ウィンドウの間に前記データリンクグループの第１のデバイスから前記データリンクグループの第２のデバイスに可用性情報を送信することと、ここにおいて、前記接続設定段階がデバイス能力情報の交換を含み、前記可用性情報が前記データリンクグループと関連付けられる送信ウィンドウの間の前記第１のデバイスの可用性を示す、
前記送信ウィンドウの間のデータ受信のために前記第１のデバイスが利用可能であることを示す前記可用性情報に基づいて、前記送信ウィンドウの間に前記データを受信するための前記第１のデバイスの可用性の指示を前記第２のデバイスに提供するためのメッセージ交換を実行することなく前記送信ウィンドウの間に前記第２のデバイスから前記第１のデバイスにおいてデータを受信することと、ここにおいて、前記データは、前記データリンクグループのデバイスに前記第２のデバイスによって提供されるサービスと関連付けられる、
を備える、方法。
【請求項１９】
前記第１のデバイスが第２の送信ウィンドウの間に利用可能であることを前記可用性情報が示さないと決定したことに応答して、前記第２のデバイスからメッセージを受信したことに応答して前記第２のデバイスに可用性の第２の指示を提供するための第２のメッセージ交換を実行することをさらに備える、請求項１８に記載の方法。
【請求項２０】
前記メッセージが、ＰＳ−ＰＯＬＬメッセージ、ＱｏＳヌルメッセージ、ＡＴＩＭメッセージ、およびアクションフレームのうちの少なくとも１つを含む、請求項１９に記載の方法。
【請求項２１】
前記第１のデバイスにおいて、前記送信ウィンドウのページングウィンドウの間に前記第２のデバイスからページングメッセージを受信することをさらに備え、前記ページングメッセージが、前記データを受信することを予定されているものとして前記第１のデバイスを特定するトラフィックインジケータを含み、前記ページングウィンドウが、前記データの受信の前に発生する、請求項１８に記載の方法。
【請求項２２】
前記ＮＡＮに参加するために前記接続設定段階の間に前記第２のデバイスとの関連付けを実行することをさらに備え、前記関連付けを実行することが、前記ＮＡＮと関連付けられる第１のワイヤレスネットワークを介して１つまたは複数の関連付け動作を実行することを備え、前記データが、前記データリンクグループと関連付けられる第２のワイヤレスネットワークを介して受信される、請求項１８に記載の方法。
【請求項２３】
前記第１のデバイスが前記接続設定段階の間に前記ＮＡＮの前記データリンクグループに参加し、前記データリンクグループが前記第２のデバイスと１つまたは複数の他のデバイスとを含む、請求項１８に記載の方法。
【請求項２４】
前記可用性情報が、前記第１のデバイスが前記送信ウィンドウの間にトリガフレームを送信することを要求するかどうかを示す特定のフィールドを含む、請求項１８に記載の方法。
【請求項２５】
前記可用性情報を送信することに続いて、および前記データを受信する前に、前記ＮＡＮに対応する第１のワイヤレスネットワークと関連付けられる同期動作に基づいて、前記第１のデバイスにおいてクロックを同期することをさらに備え、前記送信ウィンドウのタイミングが、前記同期されたクロックに基づいて決定され、前記データが、前記データリンクグループに対応するデータ送信を含む通信のために指定される第２のワイヤレスネットワークを介して前記第２のデバイスから受信される、請求項１８に記載の方法。
【請求項２６】
プロセッサと、
前記プロセッサに結合されたメモリとを備え、前記メモリが、
データリンクグループと関連付けられる近隣認識ネットワーク（ＮＡＮ）の通信の接続設定段階の間または前記ＮＡＮと関連付けられるＮＡＮ発見ウィンドウの間に前記データリンクグループの第１のデバイスから前記データリンクグループの第２のデバイスに可用性情報を送信することと、ここにおいて、前記接続設定段階がデバイス能力情報の交換を含み、前記可用性情報が前記データリンクグループと関連付けられる送信ウィンドウの間の前記第１のデバイスの可用性を示す、
前記送信ウィンドウの間のデータ受信のために前記第１のデバイスが利用可能であることを示す前記可用性情報に基づいて、前記送信ウィンドウの間に前記データを受信するための前記第１のデバイスの可用性の指示を前記第２のデバイスに提供するためのメッセージ交換を実行することなく前記送信ウィンドウの間に前記第２のデバイスからデータを受信することと、ここにおいて、前記データは、前記データリンクグループのデバイスに前記第２のデバイスによって提供されるサービスと関連付けられる、
を備える動作を実行するように前記プロセッサによって実行可能な命令を記憶する、装置。
【請求項２７】
前記動作がさらに、前記送信ウィンドウのページングウィンドウの間に前記第２のデバイスからページングメッセージを受信することを備え、前記ページングメッセージが、データを受信することを予定されているものとして前記第１のデバイスを特定するトラフィックインジケータを含む、請求項２６に記載の装置。
【請求項２８】
前記トラフィックインジケータが、トラフィック指示マップ（ＴＩＭ）、ブルームフィルタ、媒体アクセス制御（ＭＡＣ）アドレスのリスト、およびアドホックトラフィック指示メッセージ（ＡＴＩＭ）フレームのうちの少なくとも１つを含む、請求項２７に記載の装置。
【請求項２９】
前記可用性情報が特定のフィールド値および特定のビット値のうちの少なくとも１つを含み、前記特定のフィールド値および前記特定のビット値のうちの前記少なくとも１つの値が、前記第１のデバイスが前記送信ウィンドウの間に利用可能であるかどうかを示す、請求項２６に記載の装置。
【請求項３０】
前記可用性情報が、複数のビットを有する特定のフィールドを含み、前記特定のフィールドの値が、前記第１のデバイスが前記データリンクグループに対応する複数の送信ウィンドウの各送信ウィンドウの間のデータ受信のために利用可能であるかどうかを示す、請求項２６に記載の装置。
【手続補正２】
【補正対象書類名】明細書
【補正対象項目名】０３２４
【補正方法】変更
【補正の内容】
【０３２４】
[0348]前の説明は、開示される実装形態を当業者が製作または使用することを可能にするために与えられる。これらの実装形態への様々な変更は当業者には容易に明らかになり、本明細書で定義された原理は本開示の範囲から逸脱することなく他の実装形態に適用され得る。したがって、本開示は、本明細書に示された実装形態に限定されるものではなく、以下の特許請求の範囲によって定義される原理および新規の特徴に一致する可能な最も広い範囲を与えられるべきである。
以下に本願の出願当初の特許請求の範囲に記載された発明を付記する。
［Ｃ１］
通信の方法であって、
第１のデバイスにおいて、近隣認識ネットワーク（ＮＡＮ）の通信の接続設定段階の間またはＮＡＮ発見ウィンドウの間に第２のデバイスから可用性情報を受信することと、ここにおいて、前記接続設定段階がデバイス能力情報の交換を含む、
前記第２のデバイスが前記第１のデバイスからデータを受信するために前記ＮＡＮのデータリンクグループの送信ウィンドウの間に利用可能であることを示す前記可用性情報に基づいて、前記第２のデバイスの可用性を決定するためのメッセージ交換を実行することなく前記送信ウィンドウの間に前記第１のデバイスから前記第２のデバイスにデータを送信することとを備える、方法。
［Ｃ２］
前記接続設定段階の間に前記第２のデバイスとの関連付けを実行することをさらに備える、Ｃ１に記載の方法。
［Ｃ３］
前記第２のデバイスが前記送信ウィンドウの間に利用可能であることを前記可用性情報が示さないと決定したことに応答して、前記第１のデバイスから前記第２のデバイスに前記データを送信する前に、前記第２のデバイスの前記可用性を決定するための前記メッセージ交換を実行することをさらに備える、Ｃ１に記載の方法。
［Ｃ４］
前記メッセージ交換がメッセージを前記第１のデバイスから前記第２のデバイスに送信することを含み、前記メッセージが、節電ポール（ＰＳ−ＰＯＬＬ）メッセージ、サービス品質（ＱｏＳ）ヌルメッセージ、アドホックトラフィック指示メッセージ（ＡＴＩＭ）フレーム、アクションフレーム、およびユニキャストメッセージのうちの少なくとも１つを含む、Ｃ３に記載の方法。
［Ｃ５］
前記メッセージ交換が、前記第１のデバイスにおいて、前記第２のデバイスからトリガフレームを受信することを含み、前記トリガフレームが、節電ポール（ＰＳ−ＰＯＬＬ）メッセージ、サービス品質（ＱｏＳ）ヌルフレーム、アドホックトラフィック指示メッセージ（ＡＴＩＭ）フレーム、およびアクションフレームのうちの少なくとも１つを含む、Ｃ３に記載の方法。
［Ｃ６］
ページングウィンドウの間にトラフィックインジケータを含むページングメッセージを送信することをさらに備え、前記トラフィックインジケータが、前記データを受信することを予定されているものとして前記第２のデバイスを特定する、Ｃ１に記載の方法。
［Ｃ７］
前記トラフィックインジケータが、トラフィック指示マップ（ＴＩＭ）、ブルームフィルタ、媒体アクセス制御（ＭＡＣ）アドレスのリスト、部分ＭＡＣアドレスのリスト、ＭＡＣアドレスのハッシュのリスト、およびアドホックトラフィック指示メッセージ（ＡＴＩＭ）フレームのうちの少なくとも１つを含む、Ｃ６に記載の方法。
［Ｃ８］
前記可用性情報が特定のフィールド値および特定のビット値のうちの少なくとも１つを含み、前記特定のフィールド値および前記特定のビット値のうちの前記少なくとも１つの値が、前記第２のデバイスが前記送信ウィンドウの間に利用可能であるかどうかを示す、Ｃ１に記載の方法。
［Ｃ９］
前記可用性情報が、複数のビットを有する特定のフィールドを含み、前記特定のフィールドの値が、前記第２のデバイスが前記データリンクグループに対応する各データウィンドウの間に利用可能であるかどうかを示す、Ｃ１に記載の方法。
［Ｃ１０］
プロセッサと、
前記プロセッサに結合されたメモリとを備え、前記メモリが、
近隣認識ネットワーク（ＮＡＮ）の通信の接続設定段階の間またはＮＡＮ発見ウィンドウの間にデバイスから可用性情報を受信することと、ここにおいて、前記接続設定段階がデバイス能力情報の交換を含む、
前記デバイスが前記ＮＡＮのデータリンクグループの送信ウィンドウの間に利用可能であることを示す前記可用性情報に基づいて、前記デバイスの可用性を決定するためのメッセージ交換を実行することなく前記送信ウィンドウの間に前記デバイスにデータを送信することと
を備える動作を実行するように前記プロセッサによって実行可能な命令を記憶する、装置。
［Ｃ１１］
前記動作がさらに、前記デバイスが前記送信ウィンドウの間に利用可能であることを前記可用性情報が示さないと決定したことに応答して、前記デバイスに前記データを送信する前に、前記デバイスの前記可用性を決定するための前記メッセージ交換を実行することを含む、Ｃ１０に記載の装置。
［Ｃ１２］
前記メッセージ交換がメッセージを前記デバイスに送信することを含み、前記メッセージが、ＰＳ−ＰＯＬＬメッセージ、ＱｏＳヌルメッセージ、ＡＴＩＭメッセージ、およびアクションフレームのうちの少なくとも１つを含む、Ｃ１１に記載の装置。
［Ｃ１３］
前記動作がさらに、ページングウィンドウの間にトラフィックインジケータを含むページングメッセージを送信することを備え、前記トラフィックインジケータが、前記データを受信することを予定されているものとして前記デバイスを特定する、Ｃ１０に記載の装置。
［Ｃ１４］
前記トラフィックインジケータが、トラフィック指示マップ（ＴＩＭ）、ブルームフィルタ、媒体アクセス制御（ＭＡＣ）アドレスのリスト、およびアドホックトラフィック指示メッセージ（ＡＴＩＭ）フレームのうちの少なくとも１つを含む、Ｃ１３に記載の装置。
［Ｃ１５］
前記可用性情報が特定のフィールド値または特定のビット値のうちの少なくとも１つを含み、前記特定のフィールド値および前記特定のビット値のうちの前記少なくとも１つの値が、前記デバイスが前記データリンクグループのデータウィンドウの間に利用可能であるかどうかを示す、Ｃ１０に記載の装置。
［Ｃ１６］
前記可用性情報が、複数のビットを有する特定のフィールドを含み、前記特定のフィールドの値が、前記デバイスが前記データリンクグループに対応する各データウィンドウの間に利用可能であるかどうかを示す、Ｃ１０に記載の装置。
［Ｃ１７］
通信の方法であって、
近隣認識ネットワーク（ＮＡＮ）の通信の接続設定段階の間またはＮＡＮ発見ウィンドウの間に第１のデバイスから第２のデバイスに可用性情報を送信することと、ここにおいて、前記接続設定段階がデバイス能力情報の交換を含み、前記可用性情報が前記ＮＡＮのデータリンクグループの送信ウィンドウの間の前記第１のデバイスの可用性を示す、
前記送信ウィンドウの間に前記第１のデバイスが利用可能であることを示す前記可用性情報に基づいて、前記第２のデバイスに可用性の指示を提供するためのメッセージ交換を実行することなく前記送信ウィンドウの間に前記第２のデバイスから前記第１のデバイスにおいてデータを受信することとを備える、方法。
［Ｃ１８］
前記第１のデバイスが前記送信ウィンドウの間に利用可能であることを前記可用性情報が示さないと決定したことに応答して、前記第２のデバイスからメッセージを受信したことに応答して前記第２のデバイスに可用性の前記指示を提供するための前記メッセージ交換を実行することをさらに備える、Ｃ１７に記載の方法。
［Ｃ１９］
前記メッセージが、ＰＳ−ＰＯＬＬメッセージ、ＱｏＳヌルメッセージ、ＡＴＩＭメッセージ、およびアクションフレームのうちの少なくとも１つを含む、Ｃ１８に記載の方法。
［Ｃ２０］
前記第１のデバイスにおいて、ページングウィンドウの間に前記第２のデバイスからページングメッセージを受信することをさらに備え、前記ページングメッセージが、前記データを受信することを予定されているものとして前記第１のデバイスを特定するトラフィックインジケータを含む、Ｃ１７に記載の方法。
［Ｃ２１］
前記接続設定段階の間に前記第２のデバイスとの関連付けを実行することをさらに備える、Ｃ１７に記載の方法。
［Ｃ２２］
前記第１のデバイスが前記接続設定段階の間に前記ＮＡＮの前記データリンクグループに参加し、前記データリンクグループが前記第２のデバイスと１つまたは複数の他のデバイスとを含む、Ｃ１７に記載の方法。
［Ｃ２３］
前記可用性情報が特定のフィールド値または特定のビット値のうちの少なくとも１つを含み、前記特定のフィールド値および前記特定のビット値のうちの前記少なくとも１つの値が、前記第１のデバイスが前記送信ウィンドウの間であるかどうかを示す、Ｃ１７に記載の方法。
［Ｃ２４］
プロセッサと、
前記プロセッサに結合されたメモリとを備え、前記メモリが、
近隣認識ネットワーク（ＮＡＮ）の通信の接続設定段階の間またはＮＡＮ発見ウィンドウの間にデバイスに可用性情報を送信することと、ここにおいて、前記接続設定段階がデバイス能力情報の交換を含み、前記可用性情報が前記ＮＡＮのデータリンクグループの送信ウィンドウの間の前記デバイスの可用性を示す、
前記送信ウィンドウの間に前記デバイスが利用可能であることを示す前記可用性情報に基づいて、前記デバイスに可用性の指示を提供するためのメッセージ交換を実行することなくデータウィンドウの間に前記デバイスからデータを受信することと
を備える動作を実行するように前記プロセッサによって実行可能な命令を記憶する、装置。
［Ｃ２５］
前記動作がさらに、前記デバイスが前記送信ウィンドウの間に利用可能であることを前記可用性情報が示さない場合、前記デバイスからメッセージを受信したことに応答して前記デバイスに可用性の前記指示を提供するための前記メッセージ交換を実行することを備える、Ｃ２４に記載の装置。
［Ｃ２６］
前記メッセージが、節電ポール（ＰＳ−ＰＯＬＬ）メッセージ、サービス品質（ＱｏＳ）ヌルメッセージ、アドホックトラフィック指示メッセージ（ＡＴＩＭ）フレーム、およびアクションフレームのうちの少なくとも１つを含む、Ｃ２５に記載の装置。
［Ｃ２７］
前記動作がさらに、ページングウィンドウの間に前記デバイスからページングメッセージを受信することを備え、前記ページングメッセージが、データを受信することを予定されているものとして前記デバイスを特定するトラフィックインジケータを含む、Ｃ２４に記載の装置。
［Ｃ２８］
前記トラフィックインジケータが、トラフィック指示マップ（ＴＩＭ）、ブルームフィルタ、媒体アクセス制御（ＭＡＣ）アドレスのリスト、およびアドホックトラフィック指示メッセージ（ＡＴＩＭ）フレームのうちの少なくとも１つを含む、Ｃ２７に記載の装置。
［Ｃ２９］
前記可用性情報が特定のフィールド値または特定のビット値のうちの少なくとも１つを含み、前記特定のフィールド値および前記特定のビット値のうちの前記少なくとも１つの値が、前記デバイスが前記送信ウィンドウの間に利用可能であるかどうかを示す、Ｃ２４に記載の装置。
［Ｃ３０］
前記可用性情報が、複数のビットを有する特定のフィールドを含み、前記特定のフィールドの値が、前記デバイスが前記データリンクグループに対応する各データウィンドウの間に利用可能であることを示す、Ｃ２４に記載の装置。